(57)【要約】【課題】所要の場合に受信状態となり、電力消費が少ない観測装置を提供。【解決手段】スケルチ信号がオフである場合に待ち状態となり、前記スケルチ信号がオンである場合に受信状態となると共に、前記受信状態にあって監視装置１から送られる呼出信号に応答して、収集データを返送する観測装置２において、前記監視装置１から送られる呼出信号のキャリアの有無を検出するキャリア検出回路３を具備し、前記キャリア検出回路３の検出結果に応じて前記スケルチ信号ＳＱを制御する。【選択図】  図１
2004171474.tif 000002
【特許請求の範囲】
【請求項１】
スケルチ信号がオフである場合に待ち状態となり、前記スケルチ信号がオンである場合に受信状態となると共に、前記受信状態にあって監視装置から送られる呼出信号に応答して、収集データを返送する観測装置において、
前記監視装置から送られる呼出信号のキャリアの有無を検出するキャリア検出回路を具備し、
前記キャリア検出回路の検出結果に応じて前記スケルチ信号を制御することを特徴とする観測装置。
【請求項２】
前記キャリア検出回路は、Ｃ−ＭＯＳのＩＣにより構成されるバンドパスフィルタを備え、
前記バンドパスフィルタを通過したキャリアの整流を行ってキャリアの有無を検出することを特徴とする請求項１に記載の観測装置。
【請求項３】
前記観測装置及び前記キャリア検出回路は、太陽電池を電源としていることを特徴とする請求項１に記載の観測装置。
【発明の詳細な説明】
【０００１】
【発明の属する技術分野】
この発明は、収集した雨量や水位などのデータを、監視装置から送られる呼出信号に応答して返送する観測装置に関するものである。
【０００２】
【従来の技術】
従来、上記の種の観測装置は、旧建設省（現国土交通省）により制定された建電通仕２１号仕様書に準じて製作が行われる。この仕様書によれば、観測装置は、通常ＤＣ１２Ｖ、５０ｍＡ以下の待ち受け消費電流を確保することになっている。このために、無線系の観測装置では受信機のＳＱ（スケルチ）にて待ち受け消費電流の確保を行っている。また、有線系の観測装置ではアナログラインの４Ｗ（ワイア）とは別に監視装置からのＰＴ（プレストーク（電圧ａ接点）ラインを観測装置の有線ＳＱに接続して対応している。
【０００３】
ただし、有線系の観測装置においては、ＮＴＴ専用線を使用することもあり、監視装置からのＰＴラインをそのまま有線ＳＱラインに接続することは不可能である。そこで、図５に示されるように、通常は観測装置においてＳＱラインをショートしておく手法が採られている。
【０００４】
【発明が解決しようとする課題】
しかしながら、上記の構成に係る観測装置では、常時にＳＱラインがショートされていることから、常に受信状態になっており、観測装置にて消費される消費電流が大きくなり、観測装置に電力を供給する太陽電池の容量を大きくする必要があった。
【０００５】
本発明は上記のような従来の観測装置における問題点を解決せんとしてなされたもので、その目的は、適切に待ち受け状態を実現し、所要の場合に受信状態となり、電力消費を少なくすることのできる観測装置を提供することである。
【０００６】
【課題を解決するための手段】
本発明に係る観測装置は、スケルチ信号がオフである場合に待ち状態となり、前記スケルチ信号がオンである場合に受信状態となると共に、前記受信状態にあって監視装置から送られる呼出信号に応答して、収集データを返送する観測装置において、前記監視装置から送られる呼出信号のキャリアの有無を検出するキャリア検出回路を具備し、前記キャリア検出回路の検出結果に応じて前記スケルチ信号を制御することを特徴とする。
【０００７】
本発明に係る観測装置は、前記キャリア検出回路は、Ｃ−ＭＯＳのＩＣにより構成されるバンドパスフィルタを備え、前記バンドパスフィルタを通過したキャリアの整流を行ってキャリアの有無を検出することを特徴とする。
【０００８】
本発明に係る観測装置は、前記観測装置及び前記キャリア検出回路は、太陽電池を電源としていることを特徴とする。
【０００９】
【発明の実施の形態】
以下添付図面を参照して、本発明に係る観測装置の実施の形態を説明する。図１には、本発明に係る観測装置を用いたデータ収集システムの構成図が示されている。このシステムは、監視装置１と観測装置２とを主な構成要素としており、監視装置１から送られる呼出信号のライン４ＷＳにキャリア検出回路３が接続されている。観測装置２は、例えばセンサ２９を介して収集した雨量や水位などのデータをライン４ＷＲにより返送するように構成されている。
【００１０】
観測装置２及びキャリア検出回路３には、太陽電池配電盤２２を介して太陽電池２３による電力が供給されている。実際には、太陽電池配電盤２２に蓄電池２４が接続されており、太陽電池２３により得られた電圧により蓄電池２４が太陽電池配電盤２２を介して充電され、蓄電池２４の電圧による電力供給が行われる。
【００１１】
キャリア検出回路３は、監視装置１から送られる呼出信号のキャリアの有無を検出するものであり、その結果は観測装置２のＳＱ（スケルチ）接点にスケルチ信号として送られる。また、呼出信号はキャリア検出回路３を介して４ＷＳにより観測装置２へ与えられる。
【００１２】
キャリア検出回路３は、図２に示されるようにＢＰＦ（バンドパスフィルタ）３１と、整流平滑部３２とを有する。ＢＰＦ３１は、消費電力が少ないＣ−ＭＯＳのＩＣにより構成されている。
【００１３】
ライン４ＷＳを介して到来する信号は、ＢＰＦ３１により搬送波（キャリア）が通過させられ、整流平滑部３２へ送られる。整流平滑部３２においては、搬送波を整流平滑して出力する。搬送波が送られてきているときには整流平滑部３２からＨレベルの信号が出力され、搬送波がないときにはＬレベルの信号が出力される。
【００１４】
太陽電池２３は、例えば図３に示されるように、基礎部３４により立設されたパンザマスト３５に、取付金具３６によって取り付けられる。
【００１５】
以上のように構成されたシステムにおいて、観測装置２は図４のタイミングチャートに示されるように動作する。監視装置１からライン４ＷＳを介して搬送波が送られて来ない状態においては、キャリア検出回路３の出力であるＳＱ接点のレベルはＬレベルであり、これを受けて観測装置２は待ち状態にあり、低消費電力の状態となっている。この待ち状態では、例えばＤＣ１２Ｖ、５０ｍＡ以下である。
【００１６】
時刻Ｔにおいて、監視装置１からライン４ＷＳを介して搬送波が送られて来ると、ＳＱ接点のレベルがＨレベルとなり、これを受けて観測装置２は受信状態に移行する。この受信状態では、例えばＤＣ１２Ｖ、７００ｍＡ以下である。その後に監視装置１からライン４ＷＳを介して観測装置２に対する呼出信号（搬送波を変調した信号）が到来すると、これに応答して観測装置２は搬送波をライン４ＷＲを介して送出し、収集データの返送信号（搬送波を変調した信号）をライン４ＷＲを介して送出する。
【００１７】
この図４におけるチャートに示されていないが、返送信号をライン４ＷＲを介して送出した後に、監視装置１からライン４ＷＳを介して搬送波が送られて来なくなると、ＳＱ接点のレベルがＬレベルとなり、これを受けて観測装置２は待ち状態に移行し、消費電力の低減化が図られる。
【００１８】
以上のように構成されているため、太陽電池２３の大きさを小型化できる。また、パンザマスト３５における取付金具３６や基礎部３４を小型化、安価にすることができる。
【００１９】
【発明の効果】
以上説明したように本発明によれば、監視装置から送られる呼出信号のキャリアの有無を検出し、検出結果に応じてスケルチ信号を制御するようにしているので、スケルチ信号がオフである場合に待ち状態となり、消費電力の低減を図ることができる。
【図面の簡単な説明】
【図１】本発明に係る観測装置を用いたデータ収集システムの構成図。
【図２】本発明に係る観測装置の要部構成図。
【図３】本発明に係る観測装置に電力供給する太陽電池の取付例を示す図。
【図４】本発明に係る観測装置の動作を説明するタイミングチャート。
【図５】従来の観測装置を用いたデータ収集システムの構成図。
【符号の説明】
１  監視装置
２  観測装置
３  キャリア検出回路
２２  太陽電池配電盤
２３  太陽電池
２４  蓄電池
３１  ＢＰＦ
３２  整流平滑部
【図１】
2004171474.tif 000003
【図２】
2004171474.tif 000004
【図３】
2004171474.tif 000005
【図４】
2004171474.tif 000006
【図５】
2004171474.tif 000007